(57)【要約】【課題】  放電ランプ点灯装置にマイコンを搭載することにより、高圧放電ランプの点灯シーケンスや電力を詳細に制御したり、また各種の異常保護動作を制御できる。但し、マイコンは一般的にＲＯＭに記録されたプログラムに従って処理されるので、放電ランプの各種制御を行う際は、ＲＯＭに記録された設定値に基づいて制御する。この設定値を変更するにはＲＯＭの内容を書き換える必要がある。【解決手段】  マイコンに外部との通信機能を持たせ、各種の設定値を変更できるようにする。【選択図】  図１
2005243381.tif 000002
【特許請求の範囲】
【請求項１】
出力電力制御回路と、該出力電力制御回路の出力を交流変換する交流変換回路と、高電圧を発生するイグナイタ回路と、前記出力電力制御回路の出力電圧を検出する出力電圧検出手段と、放電ランプ駆動電流を検出する駆動電流検出手段と、前記出力電圧検出手段と前記駆動電流検出手段からの検出結果に基づいて前記出力電力制御回路を制御する演算処理回路とを有する放電ランプ点灯装置であって、
前記演算処理回路は、放電ランプ点灯装置外部と双方向通信を行う双方向通信手段を有し、
前記演算処理回路は、前記双方向通信手段により受信した所定のコマンドに基づいて該放電ランプ点灯装置の制御を行うように構成することを特徴とする放電ランプ点灯装置。
【請求項２】
前記所定のコマンドは交流変換回路の周波数設定に関連するコマンドであって、
前記演算処理回路は、交流変換回路の交流周波数を所定の設定周波数に制御するように構成することを特徴とする請求項１に記載の放電ランプ点灯装置。
【請求項３】
定常の放電ランプ駆動状態からランプ消灯状態へ移行する際に、通常駆動時の５０％以下の電力である超低電力で放電ランプを駆動する超低電力駆動状態を経由するように構成され、
前記定常の放電ランプ駆動状態から前記超低電力駆動状態への移行期間を０．５秒以上とするスロー超低電力モードを有し、
前記所定のコマンドは前記スロー超低電力モードの設定に関連するコマンドであって、
前記演算処理回路は、前記出力電力制御回路を前記スロー超低電力モードに制御するように構成することを特徴とする請求項１に記載の放電ランプ点灯装置。
【請求項４】
前記放電ランプ点灯装置外部からのトリガー信号に応じて交流変換回路の周期を同期させる外部同期モードを有し、
前記所定のコマンドは外部同期モードに関連するコマンドであって、
前記演算処理回路は、前記交流変換回路を外部同期モードに制御することを特徴とする請求項１に記載の放電ランプ点灯装置。
【請求項５】
出力電力制御回路と、該出力電力制御回路の出力を交流変換する交流変換回路と、高電圧を発生するイグナイタ回路と、前記出力電力制御回路の出力電圧を検出する出力電圧検出手段と、放電ランプ駆動電流を検出する駆動電流検出手段と、前記出力電圧検出手段と前記駆動電流検出手段からの検出結果に基づいて前記出力電力制御回路を制御する演算処理回路とを有する放電ランプ点灯装置であって、
不揮発性メモリを有し、該不揮発性メモリ内に前記演算処理回路の制御に用いる設定データを保存し、
前記演算処理回路は、前記不揮発性メモリから前記設定データを読み出し、該設定データに基づいて制御するように構成することを特徴とする放電ランプ点灯装置。
【請求項６】
前記不揮発性メモリ内に複数の設定データを保存し、該複数の設定データから１つの設定データを選択するための選択手段を有し、
該選択手段により選択された設定データに基づいて制御するように構成することを特徴とする請求項５に記載の放電ランプ点灯装置。
【請求項７】
前記不揮発性メモリの設定データの内容は、放電ランプ点灯時の最大放電ランプ駆動電流値と、前記交流変換回路の交流周波数値と、前記出力電力制御回路の最大出力電圧値と、前記出力電力制御回路の最小出力電圧値と、放電ランプの最大電力値と、前記放電ランプ点灯装置の最大動作温度と、前記出力電力制御回路の最大入力電圧値と、電力のパルス重畳比率に関連する設定データの何れかの設定データであることを特徴とする請求項５乃至請求項６の何れか一項に記載の放電ランプ点灯装置。
【請求項８】
定常の放電ランプ駆動状態からランプ消灯状態へ移行する際に、通常駆動時の５０％以下の電力である超低電力で放電ランプを駆動する超低電力駆動状態を経由するように構成され、
前記定常の放電ランプ駆動状態から前記超低電力駆動状態への移行期間を０．５秒以上とするスロー超低電力モードを有し、
前記不揮発性メモリの設定データの内容は、放電ランプ点灯時の最大放電ランプ駆動電流値と、前記スロー超低電力モードにおける移行時間値と、前記交流変換回路の交流周波数値と、前記超低電力駆動状態時の電力値と、前記出力電力制御回路の最大出力電圧値と、前記出力電力制御回路の最小出力電圧値と、放電ランプの最大電力値と、前記放電ランプ点灯装置の最大動作温度と、前記出力電力制御回路の最大入力電圧値と、電力のパルス重畳比率に関連する設定データの何れかの設定データであることを特徴とする請求項５乃至請求項６の何れか一項に記載の放電ランプ点灯装置。
【請求項９】
出力電力制御回路と、該出力電力制御回路の出力を交流変換する交流変換回路と、高電圧を発生するイグナイタ回路と、前記出力電力制御回路の出力電圧を検出する出力電圧検出手段と、放電ランプ駆動電流を検出する駆動電流検出手段と、前記出力電圧検出手段と前記駆動電流検出手段からの検出結果に基づいて前記出力電力制御回路を制御する演算処理回路とを有する放電ランプ点灯装置であって、
前記演算処理回路は放電ランプ点灯装置外部と双方向通信を行う双方向通信手段を有し、
前記演算処理回路は、前記双方向通信手段により受信した所定のコマンドに応じて、前記放電ランプ点灯装置の状態を前記放電ランプ点灯装置外部に返信するように構成することを特徴とする放電ランプ点灯装置。
【請求項１０】
前記所定のコマンドは、前記交流変換回路の周波数値に関連するコマンドであって、
前記演算処理回路は、前記交流変換回路の交流周波数値を返信するように構成することを特徴とする請求項９に記載の放電ランプ点灯装置。
【請求項１１】
前記出力電力制御回路の電圧スイッチング周波数であるチョッパ周波数を検出する周波数測定回路を有し、
前記所定のコマンドがチョッパ周波数値に関連するコマンドであって、
前記演算処理回路は、前記周波数測定回路より検出した前記チョッパ周波数を返信するように構成することを特徴とする請求項８に記載の放電ランプ点灯装置。
【請求項１２】
前記所定のコマンドが放電ランプ点灯装置の状態問合せに関連するコマンドであって、
前記演算処理回路は、前記放電ランプ点灯装置の状態に応じて、異常無しと、放電ランプ電圧異常と、放電ランプ電力過剰の何れか１つを返信するように構成することを特徴とする請求項９に記載の放電ランプ点灯装置。
【発明の詳細な説明】
【技術分野】
【０００１】
本発明は、液晶プロジェクタ等の投射型ディスプレイ装置の放電ランプ点灯装置に関するものである。
【背景技術】
【０００２】
液晶プロジェクタ等の投射型ディスプレイ装置の光源としては、変換効率が高く点光源に近いものが得やすい理由からメタルハライドランプや高圧水銀ランプなどの高圧放電ランプが使用されている。
【０００３】
高圧放電ランプの点灯には、点灯に必要な電圧及び電流を供給する専用の放電ランプ点灯装置が使用されている。
【０００４】
さらに、近年では放電ランプ点灯装置には、下記特許文献１、特許文献２に記載の様に、マイコンにより放電ランプ点灯装置の制御を行う方式が提案されている。
【０００５】
【特許文献１】特開平８−８０７６号公報（第１図）
【特許文献２】特開２００２−１１０３７９（第１図）
【発明の開示】
【発明が解決しようとする課題】
【０００６】
放電ランプ点灯装置にマイコンを搭載することにより、高圧放電ランプの点灯シーケンスや電力を高精度に制御しでき、また各種の異常保護動作の制御も可能となり、放電ランプ点灯装置の付加価値を高めることができる。しかしながら、マイコンは一般的にＲＯＭに記録されたプログラムに従って処理されるので、放電ランプの各種制御を行う際は、ＲＯＭに記録された設定値に基づいて制御される。この設定値を変更するにはＲＯＭの内容を書き換える必要がある。フラッシュＲＯＭの場合は容易に書き換え可能だが、マスクＲＯＭの場合は新規に品種を作り直す必要があり、時間と費用がかかる。またフラッシュＲＯＭの場合でも放電ランプ点灯装置の動作中は設定値を変更することは出来ない。
【課題を解決するための手段】
【０００７】
上記した課題を解決するために、本発明は、放電ランプを制御するマイコンに外部との通信機能を持たせ、各種の設定値を変更できるようにする。
【０００８】
本発明では、放電ランプ点灯装置のマイコンと外部機器をＵＡＲＴ（Universal  Asynchronous  Receiver  Transmitter）を用いて通信可能とし、放電ランプ点灯装置内のインバータ周波数の設定値や、外部同期の許可不許可の設定等が可能となる。
【発明の効果】
【０００９】
本発明の効果として、高付加価値を持たせた放電ランプ点灯装置を提供することができる。
【発明を実施するための最良の形態】
【００１０】
以下、本発明の実施の形態について図を用いて説明する。
【実施例１】
【００１１】
図１は、本発明の放電ランプ点灯装置の第１の実施例を示すブロック図である。
【００１２】
また放電ランプ点灯装置は例えば図２の投射型ディスプレイに適用される。図２において、リフレクタ７７と高圧放電ランプ７８は画像表示デバイス７６の背面から光を照射する光源を構成している。画像表示デバイス７６を透過した光は光学系７５によりスクリーン７４に投射される。画像表示デバイス７６は例えば液晶表示素子であり画像表示デバイス駆動回路７９により駆動され画像が表示されるので、スクリーン７４上に大画面の画像が得られる。放電ランプ点灯装置８０は高圧放電ランプ７８の起動と点灯の制御を行う。
【００１３】
図１において、１は電源入力端子、２はＭＯＳ−ＦＥＴ、３はダイオード、４はチョークコイル、５はコンデンサ、６，７は抵抗器、８，９，１０，１１はＭＯＳ−ＦＥＴ、１２は抵抗器、１３は放電ランプ、１４はイグナイタ回路、１５は演算処理回路、１６，１７はＬＰＦ（Low  Pass  Filter）回路、１８はＰＷＭ制御回路、１９はＰＷＭ制御回路１８のＯＮ／ＯＦＦ信号入力端子、２０はＰＷＭ制御回路１８の制御電圧入力端子、２１はＭＯＳ−ＦＥＴ２のドライブ回路、２２はＭＯＳ−ＦＥＴ８，９，１０，１１のドライブ回路、２３はドライブ回路２２のＯＮ／ＯＦＦ信号入力端子、２４，２５はドライブ回路２２の入力端子、２６はランプオン信号入力端子、２７は低電力モード信号入力兼シリアルデータ受信端子（以後ＲＸＤ）、２８はシリアルデータ送信端子（以後ＴＸＤ）である。
【００１４】
ＭＯＳ−ＦＥＴ２とダイオード３とチョークコイル４とコンデンサ５とドライブ回路２１とＰＷＭ制御回路１８は電力制御回路３０を構成する。ＭＯＳ−ＦＥＴ８，９，１０，１１とドライブ回路２２は交流変換回路３１を構成する。イグナイタ回路１４は高電圧パルスを発生させ高圧放電ランプ１３を起動する。
【００１５】
演算処理回路１５は例えばマイコンで構成され、抵抗器６，７で分圧した電圧により出力電圧を検知し、更に抵抗器１２に発生する電圧により出力電流を検知する。また前記出力電圧検出結果および前記出力電流検出結果に基づき、出力電力を演算して出力電力が一定となるように前記ＰＷＭ制御回路１８の制御電圧入力端子２０に制限電圧を与え、制御する。またそれら検出結果と演算処理回路１５内部で決定する制限値ＬＶ１，ＬＶ２とを比較する。ここで、ＬＶ１は出力電圧制限値を表し、ＬＶ２は出力電流制限値を表す。出力電圧検出結果がＬＶ１以上となった場合、放電ランプ点灯装置が停止するようにＰＷＭ制御回路１８のＯＮ／ＯＦＦ信号入力端子１９、およびドライブ回路２２のＯＮ／ＯＦＦ信号入力端子２３に信号を伝達し、また出力電流検出結果がＬＶ２以上となった場合、出力電流がＬＶ２で決定される電流値で制限されるようにＰＷＭ制御回路１８の制御電圧入力端子２０に制御電圧を与え、ＰＷＭ制御回路１８を制御する。
【００１６】
次に一般的な放電ランプ点灯装置の基本的な動作を説明する。
【００１７】
まず高圧放電ランプ１３を起動させる手順を図３を参照しながら説明する。図３は、放電ランプ点灯装置がランプオン入力端子２６からの入力を受けてから、安定な点灯状態となるまでの出力電圧の動作を説明するタイミングチャートである。図３において、ランプオン信号とは図１のランプオン入力端子２６の信号変化を示す。
【００１８】
時間ｔ０でランプオン信号が入力（図３ではアクティブＨｉ）されると電力制御回路３０の出力電圧はランプ１３が点灯していないため最大電圧Ｖ３が出力される。さらに前記電圧Ｖ３にイグナイタ回路１４からの高電圧パルスが重畳され電圧Ｖ４が高圧放電ランプ１３に印加され、ランプが起動する。次に時間ｔ１で高電圧小電流のグロー放電が開始し、更に時間ｔ２で低電圧大電流のアーク放電に移行する。ランプ温度の上昇とともにランプ電圧が上昇していく。時間ｔ３で、交流変換回路３１の動作が開始し高圧放電ランプ１３はＡＣ点灯モードに移行する。その後、時間ｔ４で定常電圧Ｖ１になると、電力制御回路３０は定電力制御により高圧放電ランプ１３に一定電力を供給する。なお、時間ｔ３以降の矩形波の周波数を一般的にインバータ周波数と呼ぶ。
【００１９】
次に放電ランプ点灯後（図３のｔ４以降）の放電ランプの動作モードについて説明する。放電ランプの動作モードには一般的に４つの状態がある。（１）ランプが消灯している消灯モード、（２）通常点灯している定常電力モード、（３）定常電力モードより電力を抑えて点灯させる低電力モード、（４）定常電力モード又は低電力モードから消灯モードに移る際、一旦電力を例えば３０％程度まで下げて点灯させこれを維持する超低電力モード、の４つである。
【００２０】
低電力モードは、定常電力モードに対し例えば８０％程度に電力を抑えて点灯させることで、消費電力の抑制やランプの長寿命化や、またランプ用ファンの回転数を落とすことができるので低騒音化などの効果が得られる。
【００２１】
超低電力モードは、ランプの点灯から消灯に移行するのに直ちに電力０に移行するのではなく、一旦超低電力を維持することで、電極の劣化を低減し、ランプの長寿命化を図ることが出来るとされている。
【００２２】
上記動作モードのタイミングチャートを図４に示す。図４では、消灯モードから始まり、点灯して定常電力モードに移行し、一旦低電力モードになった後また定常電力モードになる。そして最後に消灯モードに移行する。
【００２３】
ランプの４つのモードは、演算処理回路１５に入力されるランプオン信号２６と、低電力モード信号２７の２ｂｉｔの組み合せにより判別させる。即ち、図４の表にもあるようにランプオン信号２６、低電力モード信号２７の組み合せが（Ｌｏｗ，Ｈｉ）の場合消灯モード、（Ｈｉ，Ｈｉ）の場合定常電力モード、（Ｈｉ，Ｌｏｗ）の場合低電力モード、（Ｌｏｗ，Ｌｏｗ）の場合超低電力モード、となる。
【００２４】
ここで、定常電力モード又は低電力モードから超低電力モードに移行する場合、例えば電力は１００％（又は８０％）から３０％に瞬時に変化する為、これによる電極の劣化も考えられる。
【００２５】
そこで、図４のランプ電力遷移線で点線矢印で示すように、定常電力モード又は低電力モードから超低電力モードに移行する際、数秒程度掛けて緩やかに電力を減少させる移行期間を設ける場合がある。これにより更なる長寿命化の効果が得られる。これをスロー超低電力遷移モードとする。
【００２６】
以上が放電ランプ点灯装置の基本的な動作である。
【００２７】
次に、本実施例の特徴であるＵＡＲＴ通信制御を説明する。ＵＡＲＴは同時に送受信可能な全二重通信で、且つデータの前後にスタート、ストップビットを付加して送信する調歩同期式通信である。パーソナルコンピュータのＲＳ２３２Ｃ通信がその代表である。図５はＵＡＲＴ通信のフォーマット例を示している。ＲＸＤはコマンドデータの送信、ＴＸＤはコマンドデータの受信を示しており、それぞれスタートビット１、ストップビット１、データビット８、パリティビット１である。このＲＸＤ、ＴＸＤは図１の低電力モード信号/ＲＸＤ２７とＴＸＤ２８に相当する。
【００２８】
ここでＲＸＤは低電力モード信号と兼用しているので注意が必要である。ＵＡＲＴ通信ではＲＸＤ、ＴＸＤともにコマンド未送信時は図５のようにＨｉレベルになっている必要がある。従って低電力モード信号/ＲＸＤ２７がＨｉとなる定常電力モードと消灯モードではＵＡＲＴ通信可能であるが、低電力モード信号/ＲＸＤ２７がＬｏｗとなる低電力モードと超低電力モードではＵＡＲＴ通信はできない。
【００２９】
次に、コマンドデータに例えば下記表１のような制御内容を割り当てる。コマンド３０Ｈ（Ｈは１６進表記の意味）から３３Ｈはインバータ周波数を予め規定した値に設定する。例えばコマンド３０Ｈであればインバータ周波数を１５０Ｈｚになる様に演算処理回路１５が交流変換回路３１を制御する。この様にインバータ周波数を任意に変えられるので、例えばランプの使用時間に応じて最適なインバータ周波数に適宜変える事により、長寿命化を図れる効果がある。
【００３０】
【表１】
2005243381.tif 000003
【００３１】
コマンド３４Ｈであれば前述した超低電力モードに移行する際にスロー超低電力遷移モードになるよう演算処理回路１５が電力制御する。
【００３２】
次にコマンド３６Ｈ、３７Ｈの外部同期のＯＮ、ＯＦＦに関して説明する。外部同期とは、放電ランプ点灯装置の外部より入力されるトリガー信号に対して、インバータ周波数や電力重畳を同期させたりすることである。図６に外部同期の様子を示す。一般に外部トリガー信号はランプオン信号に重畳されて放電ランプ点灯装置に入力される。即ちランプオン信号はランプ点灯時（図４の定常電力モード、低電力モード）はＨｉであり、同期をかけるタイミングでＬｏｗにする（図６のランプオン信号Ａ）。演算処理回路１５はこのランプオン信号Ａの立下りのタイミングで交流駆動するよう交流変換回路３１を制御する。
【００３３】
ただし、図６のランプオン信号Ａをそのまま動作モードの判別に使用すると誤動作する。即ち外部トリガーが重畳された期間はランプオン信号はＬｏｗとなり、動作モードとしては消灯モードとなる。これを回避する為、ＬＰＦ１７をランプオン信号に挿入し積分することで、図６のランプオン信号ＢのようにほぼＨｉレベルの信号が得られる。このランプオン信号Ｂを動作モード判別に利用すれば誤動作を回避できる。
【００３４】
またこれは低電力モード信号/ＲＸＤ２７にも同じことが言える。即ち動作モードの判別に低電力モード信号/ＲＸＤ２７をそのまま使用すると、コマンドを送信した際、Ｌｏｗとなる期間が存在するため誤動作する。これを回避する為、ＬＰＦ１６を低電力モード信号/ＲＸＤ２７に挿入し積分する。
【００３５】
以上のように本実施例によれば、放電ランプ点灯装置をＵＡＲＴ通信制御することにより、インバータ周波数の設定やスロー超低電力、外部同期の制御などを行うことができる。
【実施例２】
【００３６】
次に本発明の第２の実施例の構成例を図８に示す。本実施例の形態の特徴は、ＥＥＰＲＯＭなどの不揮発性メモリを設け、これに複数の設定データを保存しておき、接続するランプの種類の違いにより、読み出す設定データを変更することにより、一つの放電ランプ点灯装置で複数のランプを点灯させることにある。さらにＵＡＲＴ通信経由でＥＥＰＲＯＭの設定データを変更可能にすることで、急な設計変更にも対応でき、開発の効率が向上できる。
【００３７】
図７は本発明の第２の実施例の構成を示す図であって、第１の実施例の構成例である図１に対応する部分には同一符号をつけている。異なる部分はＥＥＰＲＯＭ３２と、出力をＨｉとＬｏｗに選択できるディップスイッチ３３である。それ以外は第１の実施例と同じであるので説明は省略する。
【００３８】
ＥＥＰＲＯＭ３２は演算処理回路１５と３線シリアルバス等で接続されており、データの読出し、書込みが可能である。またＥＥＰＲＯＭ３２にはランプの種類や開発設計段階で変更が必要と考えられる各種設定データを複数の領域に分割して保存しておく。図８はその例で、ここでは２種類の設定データ領域３２Ａ、３２Ｂを持たせている。例えばランプ１３をメーカＡ社のものを使用する際は設定データ領域３２Ａ、メーカＢ社のものを使用する際は設定データ領域３２Ｂの値を読み込む。またその切替えはディップスイッチ３３で行う。ディップスイッチ３３の出力がＨｉの時は設定データ領域３２Ａ、ディップスイッチ３３の出力がＬｏｗの時は設定データ領域３２Ｂを読み込むようにする。もし、設定データ領域を３つ以上設定する際は、それに合わせてディップスイッチ３３の出力のビット数を増やせばよい。
【００３９】
次に、具体的な設定データ例を下記表２に示す。表２の設定データは１つの設定データ領域の設定値の具体例を示している。その設定値は（１）負荷電流制限値（２）スロー超低電力時間（３）インバータ周波数（４）超低電力値（５）過電圧制限値（６）低電圧制限値（７）過電力制限値（８）温度制限値（９）入力電圧制限値（１０）パルス重畳高さ比（１１）パルス重畳幅である。設定値の具体的内容は表２に記載の通りであり省略する。
【００４０】
【表２】
2005243381.tif 000004
【００４１】
ここで本実施例ではＵＡＲＴ通信経由でＥＥＰＲＯＭの設定データを放電ランプ点灯装置の外部より読み書き可能である。下記表３はＥＥＰＲＯＭのデータ読み書きに対応したＵＡＲＴ通信コマンド例である。また図９から図１２はそのＵＡＲＴ通信プロトコルの例である。
【００４２】
【表３】
2005243381.tif 000005
【００４３】
まず図９はEEPROMへの１バイトデータ書込みのプロトコル例である。始めに外部機器より放電ランプ点灯装置にコマンド５０Ｈが送信される。放電ランプ点灯装置の演算処理回路１５はこれを受信し、同じコマンド５０Ｈを外部機器へ返信する。次にアドレスとデータを演算処理回路１５が受信し、同様に同じアドレスとデータ値を返信する。その後、演算処理回路１５はEEPROM３２の指定されたアドレスにデータを書き込んで動作を終了する。
【００４４】
図１０はEEPROMへの１バイトデータ読込みのプロトコル例である。始めに外部機器より放電ランプ点灯装置にコマンドＢ０Ｈが送信される。放電ランプ点灯装置の演算処理回路１５はこれを受信し、同じコマンドＢ０Ｈを外部機器へ返信する。次にアドレスを演算処理回路１５が受信し、同様に同じアドレスを返信する。その後、演算処理回路１５はEEPROM３２の指定されたアドレスのデータを読み込んで記憶する。最後にデータ要求コマンド００Ｈを演算処理回路１５が受信し、記憶してあったデータを返信する。
【００４５】
図１１、図１２はそれぞれ複数バイトのデータ読み書きのプロトコル例で、図９、図１０とほぼ動作は同じである。異なるのはアドレスを送受信した後に、読み書きするデータの個数コマンドを送信することである。その個数コマンドのバイト数分だけデータを送受信する。また送信したアドレスは先頭アドレスを示しており、複数データの場合は１づつプラスしたアドレスに対応する。
なお、ディップスイッチ３３はスライドスイッチやロータリースイッチの他、単に抵抗配線で設定してもよい。
【実施例３】
【００４６】
次に本発明の第３の実施例の構成例を図１３に示す。本実施例の形態の特徴は、ＵＡＲＴ通信経由で放電ランプ点灯装置の動作状態を問合せることができることである。
【００４７】
図１３は本発明の第３の実施例の構成を示す図であって、第１の実施例の構成例である図１に対応する部分には同一符号をつけている。異なる部分は周波数測定回路３５である。それ以外は第１の実施例と同じであるので説明は省略する。
【００４８】
下記表４は外部機器からの問合せに対応したコマンドの一例である。例えば外部機器よりコマンドＡ０Ｈが放電ランプ点灯装置に送信されると演算処理回路１５は現状のインバータ周波数を返信する。コマンドＡ１Ｈが送信されると周波数測定回路３５が電力制御回路３０内のＰＷＭ制御回路１８の出力、いわゆるチョッパ周波数を測定し、演算処理回路１５はその周波数測定結果を受けて外部機器へ返信する。ここで周波数測定回路３５は例えばカウンタ回路で構成され、１秒期間のパルス数をカウントすれば、そのカウント数が周波数となる。コマンド８２Ｈが送信されると演算処理回路１５は現状の放電ランプ点灯装置の状態を返信する。特に異常が無ければ００Ｈを返信する。一方、何らかの異常があればそれに対応したコマンドを返信する。例えば動作モードを消灯モードに設定しても電力制御回路３０の出力電圧が発生する場合は、ランプ電圧異常と判断してコマンド０ＥＨを返信する。また、動作モードが定常電力モードもしくは低電力モードの際に制限値以上のランプ電力が供給されているような場合は、ランプ電力過剰と判断してコマンド０ＦＨを返信する。
【００４９】
【表４】
2005243381.tif 000006
【００５０】
上記問合せコマンドは一例で、他に調べたい放電ランプ点灯装置の状態がある場合は、コマンドを拡張すればよい。
【００５１】
以上、第１から第３の実施例では不揮発生メモリとしてＥＥＰＲＯＭ３２を用いたが、それに限らず、フラッシュＲＯＭなどでもよい。また通信にはＵＡＲＴ方式を用いたが、３線シリアル通信など他の通信方式でもよい。
【００５２】
以上の様に本発明の放電ランプ点灯装置では、ＵＡＲＴ通信制御により、動作中に各種設定値を変更したり、放電ランプ点灯装置の状態を確認することで、放電ランプ点灯装置の付加価値を向上することができる。
【００５３】
またＥＥＰＲＯＭなどの不揮発性メモリを設け、これに複数の設定データを保存しておき、接続するランプの種類の違いにより、読み出す設定データを変更することにより、一つの放電ランプ点灯装置で複数のランプを点灯させることができる。
【図面の簡単な説明】
【００５４】
【図１】本発明を適用した放電ランプ点灯装置の第１の実施の形態を示すブロック図である。
【図２】本発明の放電ランプ点灯装置を適用したプロジェクタのブロック図である。
【図３】本発明を適用した放電ランプ点灯装置の第１の実施の形態において、放電ランプ点灯開始から、安定な点灯状態となるまでの出力電圧を説明するための図である。
【図４】本発明の動作を説明するタイミングチャートである。
【図５】本発明のＵＡＲＴ通信を説明するための図である。
【図６】本発明の外部同期動作を説明するタイミングチャートである。
【図７】本発明を適用した放電ランプ点灯装置の第２の実施の形態を示すブロック図である。
【図８】第２の実施例のＥＥＰＲＯＭのメモリマップを説明するための図である。
【図９】第２の実施例のＵＡＲＴ通信時の１バイト書込みを説明するための図である。
【図１０】第２の実施例のＵＡＲＴ通信時の１バイト読込みを説明するための図である。
【図１１】第２の実施例のＵＡＲＴ通信時の複数バイト書込みを説明するための図である。
【図１２】第２の実施例のＵＡＲＴ通信時の複数バイト読込みを説明するための図である。
【図１３】本発明を適用した放電ランプ点灯装置の第３の実施の形態を示すブロック図である。
【符号の説明】
【００５５】
１…電源入力端子、２…ＭＯＳ−ＦＥＴ、３…ダイオード、４…チョークコイル、５…コンデンサ、６，７…抵抗器、８，９，１０，１１…ＭＯＳ−ＦＥＴ、１２…抵抗器、１３…放電ランプ、１４…イグナイタ回路、１５…演算処理回路、１６，１７…ＬＰＦ、１８…ＰＷＭ制御回路、１９…ＰＷＭ制御回路１９のＯＮ／ＯＦＦ信号入力端子、２０…ＰＷＭ制御回路１９の制御電圧入力端子、２１…ドライブ回路、２２…ドライブ回路、２３…ドライブ回路２２のＯＮ／ＯＦＦ信号入力端子、２４…ドライブ回路２２の入力端子１、２５…ドライブ回路２２の入力端子２、２６…ランプオン信号入力端子、２７…低電力モード信号/ＲＸＤ、２８…ＴＸＤ、３０…電力制御回路、３１…交流変換回路、３２…ＥＥＰＲＯＭ、３３…ディップスイッチ、３５…周波数測定回路、７４…スクリーン、７５…光学系、７６…画像表示デバイス、７７…反射ミラー、７８…高圧放電ランプ、７９…駆動回路、８０…ランプ点灯装置。
【図１】
2005243381.tif 000007
【図２】
2005243381.tif 000008
【図３】
2005243381.tif 000009
【図４】
2005243381.tif 000010
【図５】
2005243381.tif 000011
【図６】
2005243381.tif 000012
【図７】
2005243381.tif 000013
【図８】
2005243381.tif 000014
【図９】
2005243381.tif 000015
【図１０】
2005243381.tif 000016
【図１１】
2005243381.tif 000017
【図１２】
2005243381.tif 000018
【図１３】
2005243381.tif 000019